(57)【特許請求の範囲】
【請求項１】
テレビジョン放送とともに各番組に関する番組情報を受信する受信手段と、
時間軸を含む複数チャンネルの番組一覧表、または受信中のテレビジョン放送に基づく映像および番組情報を表示する表示手段と、
複数の時間帯と色との対応関係を記憶する記憶手段と、
時間帯を判別する時間帯判別手段と、
前記番組一覧表の時間軸、及び前記映像とともに表示する前記番組情報を、前記記憶手段に記憶された対応関係に基づいて前記時間帯判別手段により判別された時間帯に対応する色で表示する色制御手段と、
を備えたことを特徴とするテレビジョン受像機。
【請求項２】
テレビジョン放送とともに各番組に関する番組情報を受信する受信手段と、
時間軸を含む複数チャンネルの番組一覧表、または受信中のテレビジョン放送に基づく映像および番組情報を表示する表示手段と、
複数の時間帯と色との対応関係を記憶する記憶手段と、
時間帯を判別する時間帯判別手段と、
前記番組一覧表に表示された各番組情報、及び前記映像とともに表示する前記番組情報を、前記記憶手段に記憶された対応関係に基づいて前記時間帯判別手段により判別された時間帯に対応する色で表示する色制御手段と、
を備えたことを特徴とするテレビジョン受像機。
【請求項３】
複数の時間帯および前記複数の時間帯に対応する色を前記記憶手段に任意に設定する設定手段をさらに備えたことを特徴とする請求項１または２記載のテレビジョン受像機。
【請求項４】
前記色制御手段は、前記番組一覧表の時間軸の前景色および背景色を前記時間帯判別手段により判別された時間帯に基づいて制御することを特徴とする請求項１記載のテレビジョン受像機。
【請求項５】
前記色制御手段は、前記番組一覧表に表示された各番組情報の前景色および背景色を前記時間帯判別手段により判別された時間帯に基づいて制御することを特徴とする請求項２記載のテレビジョン受像機。
【請求項６】
前記色制御手段は、受信中のテレビジョン放送に基づく前記映像とともに表示される前記番組情報の前景色および背景色を前記時間帯判別手段により判別された時間帯に基づいて制御することを特徴とする請求項１または２記載のテレビジョン受像機。
【発明の詳細な説明】
【０００１】
【発明の属する技術分野】
本発明は、テレビジョン放送とともに受信される各番組に関する番組情報を表示する機能を有するテレビジョン受像機および表示制御プログラムを記録した記録媒体に関する。
【０００２】
【従来の技術】
図１１は従来のテレビジョン受像機の一例を示すブロック図である。
【０００３】
図１１において、チューナ３には、地上波によるテレビジョン放送またはデジタル衛星放送を受信するアンテナ１が接続されている。地上波によるテレビジョン放送の電波の隙間（ＶＢＩ；垂直帰線期間）またはデジタル衛星放送には、各番組の番組タイトル、放送時間、放送局、出演者等の番組情報が挿入されている。以下、地上波によるテレビジョン放送およびデジタル衛星放送をテレビジョン放送と総称する。
【０００４】
チューナ３は、アンテナ１により受信されたテレビジョン放送のうち選択されたチャンネルのテレビジョン放送の放送信号を映像回路９に与える。映像回路９は、チューナ３から与えられた放送信号から映像信号を出力する。
【０００５】
マイクロコンピュータ４は、リモートコントローラ等の入力装置２の操作に基づく制御を行う。また、番組データメモリ５には、アンテナ１により受信された番組情報が番組データとして記憶される。
【０００６】
表示制御装置６は、マイクロコンピュータ４からの指令により画面上に操作パネルや番組一覧表を表示するための制御を行う。時計回路７は、現在時刻を出力する。表示回路８は、表示制御装置６の制御に従って操作パネルや番組一覧表の表示信号を出力する。画面合成回路１０は、映像回路９から出力される映像信号および表示回路８から出力される表示信号を切り替えてＣＲＴ（陰極線管）１１に出力する。
【０００７】
このような構成により、表示回路８は、マイクロコンピュータ４および表示制御装置６の制御に従って番組データメモリ５に記憶される番組データに基づいて複数チャンネルの番組情報を番組一覧表としてＣＲＴ１１の画面に表示させる。
【０００８】
図１２は図１１のテレビジョン受像機の画面に表示される番組一覧表の一例を示す図である。図１２に示すように、複数チャンネルの番組情報３２が時間軸３１とともに番組一覧表３０として表示されている。
【０００９】
図１３は図１１のテレビジョン受像機の画面に表示される番組タイトルオンスクリーン表示の一例を示す図である。図１２に示すように、現在受信中のチャンネルのテレビジョン放送の映像３４とともに番組タイトル等の番組情報３５が表示される。
【００１０】
【発明が解決しようとする課題】
上記の従来のテレビジョン受像機では、図１２に示したように画面上に複数チャンネルの番組情報３２を番組一覧表３０として表示させ、録画予約等のために入力装置２の操作によりカーソルを用いて番組情報３２を選択することができる。しかしながら、画面上でカーソルを移動させていくうちに番組一覧表３０の時間軸３１が画面の表示範囲外に移動することがある。このような場合には、各番組情報３２の時間帯が分かりにくいという問題が生じる。
【００１１】
また、図１３に示したように、画面上に現在受信中のテレビジョン放送の映像３４とともに番組タイトル等の番組情報３５を表示する場合には、その番組情報３５に放送時間を示す時間情報を追加しないと、その番組の時間帯が分かりにくい。そこで、図１４に示すように、テレビジョン放送の映像３４とともに番組タイトル等の番組情報３５および放送時間、現在時刻等の時間情報３６を表示することが考えられる。しかしながら、このような場合、時間情報３６の表示でテレビジョン放送の映像３４が隠れるという問題がある。
【００１２】
本発明の目的は、番組情報の時間帯を容易に認識することができるテレビジョン受像機および表示制御プログラムを記録した記録媒体を提供することである。
【００１３】
【課題を解決するための手段】
（１）第１の発明
第１の発明に係るテレビジョン受像機は、テレビジョン放送とともに各番組に関する番組情報を受信する受信手段と、時間軸を含む複数チャンネルの番組一覧表、または受信中のテレビジョン放送に基づく映像および番組情報を表示する表示手段と、複数の時間帯と色との対応関係を記憶する記憶手段と、時間帯を判別する時間帯判別手段と、前記番組一覧表の時間軸、及び前記映像とともに表示する前記番組情報を、前記記憶手段に記憶された対応関係に基づいて前記時間帯判別手段により判別された時間帯に対応する色で表示する色制御手段とを備えたものである。
【００１４】
本発明に係るテレビジョン受像機においては、画面に表示される番組一覧表の時間軸が時間帯ごとに対応する色で表示されるので、ユーザは、各番組がどの時間帯に属するかを視覚的にかつ容易に認識できる。さらに、受信中のテレビジョン放送に基づく映像とともにそのテレビジョン放送に関する番組情報が時間帯に対応する色で表示されるので、受信中のテレビジョン放送の映像を隠すことなく少ないスペースで時間帯に関する情報が提供される。したがって、ユーザにとって分かりやすいオンスクリーン表示が提供される。
【００１５】
（２）第２の発明
第２の発明に係るテレビジョン受像機は、テレビジョン放送とともに各番組に関する番組情報を受信する受信手段と、時間軸を含む複数チャンネルの番組一覧表、または受信中のテレビジョン放送に基づく映像および番組情報を表示する表示手段と、複数の時間帯と色との対応関係を記憶する記憶手段と、時間帯を判別する時間帯判別手段と、前記番組一覧表に表示された各番組情報、及び前記映像とともに表示する前記番組情報を、前記記憶手段に記憶された対応関係に基づいて前記時間帯判別手段により判別された時間帯に対応する色で表示する色制御手段とを備えたものである。
【００１７】
このように、画面に表示される番組一覧表の各番組情報が時間帯ごとに対応する色で表示されるので、ユーザは、各番組がどの時間帯に属するかを視覚的にかつ容易に認識することができる。さらに、受信中のテレビジョン放送に基づく映像とともにそのテレビジョン放送に関する番組情報が時間帯に対応する色で表示されるので、受信中のテレビジョン放送の映像を隠すことなく少ないスペースで時間帯に関する情報が提供される。したがって、ユーザにとって分かりやすいオンスクリーン表示が提供される。
【００２４】
（３）第３の発明
第３の発明に係るテレビジョン受像機は、第１または第２の発明に係るテレビジョン受信機の構成において、複数の時間帯および複数の時間帯に対応する色を記憶手段に任意に設定する設定手段をさらに備えたものである。
【００２５】
この場合、ユーザは、設定手段により複数の時間帯およびそれらの時間帯に対応する色を任意に設定することができる。それにより、ユーザが好みの時間帯および好みの色を独自に設定することができ、個々のユーザごとにより分かりやすく時間帯に関する情報を提供することが可能となる。
【００２６】
（４）第４の発明
第４の発明に係るテレビジョン受像機は、第１の発明に係るテレビジョン受信機の構成において、色制御手段は、番組一覧表の時間軸の前景色および背景色を時間帯判別手段により判別された時間帯に基づいて制御するものである。
【００２７】
この場合、番組一覧表の時間軸の前景色および背景色が時間帯ごとに制御されるので、ユーザは各番組がどの時間帯に属するかをより視覚的にかつ容易に認識することができる。
【００２８】
（５）第５の発明
第５の発明に係るテレビジョン受像機は、第２の発明に係るテレビジョン受像機の構成において、色制御手段は、番組一覧表の各番組情報の前景色および背景色を時間帯判別手段により判別された時間帯に基づいて制御するものである。
【００２９】
この場合、各番組一覧表の各番組情報の前景色および背景色が時間帯ごとに制御されるので、ユーザは各番組がどの時間帯に属するかをより視覚的にかつ容易に認識することができる。
【００３０】
（６）第６の発明
第６の発明に係るテレビジョン受像機は、第１または第２の発明に係るテレビジョン受像機の構成において、色制御手段は、受信中のテレビジョン放送に基づく映像とともに表示される番組情報の前景色および背景色を時間帯判別手段により判別された時間帯に基づいて制御するものである。
【００３１】
この場合、受信中のテレビジョン放送に関する番組情報の前景色および背景色が時間帯に基づいて制御されるので、ユーザは受信中のテレビジョン放送の時間帯をより視覚的にかつ容易に認識することができる。
【００３５】
【発明の実施の形態】
図１は本発明の一実施例によるテレビジョン受像機の構成を示すブロック図である。
【００３６】
図１において、チューナ３には、地上波によるテレビジョン放送またはデジタル衛星放送を受信するためのアンテナ１が接続されている。地上波によるテレビジョン放送の電波の隙間（ＶＢＩ；垂直帰線期間）およびデジタル衛星放送には、各番組の番組タイトル、放送時間、放送局、出演者等の番組情報が挿入されている。以下、地上波によるテレビジョン放送およびデジタル衛星放送をテレビジョン放送と総称する。
【００３７】
チューナ３は、アンテナ１により受信されたテレビジョン放送のうち選択されたチャンネルのテレビジョン放送の放送信号を映像回路９に与える。映像回路９は、チューナ３から与えられた放送信号から映像信号を出力する。
【００３８】
マイクロコンピュータ４は、リモートコントローラ等の入力装置２の操作に基づく制御を行う。また、番組データメモリ５には、アンテナ１により受信された番組情報が番組データとして記憶される。
【００３９】
表示制御装置６は、マイクロコンピュータ４からの指令により画面上に操作パネルや番組一覧表を表示するための制御を行う。表示回路８は、表示制御装置６の制御に従って操作パネルや番組一覧表の表示信号を出力する。画面合成回路１０は、映像回路９から出力される映像信号および表示回路８から出力される表示信号を切り替えてＣＲＴ１１に出力する。
【００４０】
時計回路７は、現在時刻を出力する。時間帯判別手段１３は、番組データメモリ５に記憶される番組データに基づいて各番組の時間帯を判別するとともに、時計回路７から出力される現在時刻に基づいて現在時刻の時間帯を判別する。表示色制御手段１２は、時間帯判別手段１３により判別された時間帯に基づいて表示回路８により画面上に表示される番組情報の前景色および背景色を切り替える。
【００４１】
本実施例では、表示色制御手段１２および時間帯判別手段１３の機能は、主としてソフトウエアにより実現される。図２は表示色制御手段１２および時間帯判別手段１３の構成を示すブロック図である。
【００４２】
図２において、ＲＯＭ（リードオンリメモリ）２０には表示制御プログラムが格納される。マイクロコンピュータ４は、ＲＯＭ２０に格納される表示制御プログラムをＲＡＭ（ランダムアクセスメモリ）２１上で実行する。また、不揮発性メモリ２２には、後述する色変換テーブルが記憶される。それにより、表示色制御手段１２および時間帯判別手段１３の機能が達成される。
【００４３】
本実施例では、チューナ３が受信手段に相当し、マイクロコンピュータ４、表示制御装置６、表示回路８およびＣＲＴ１１が表示手段を構成し、番組データメモリ５、表示制御装置６、表示色制御手段１２および時間帯判別手段１３が表示制御手段を構成する。また、不揮発性メモリ２２が記憶手段に相当し、表示色制御手段１２が色制御手段に相当し、時間帯判別手段１３、番組データメモリ５および時計回路７が時間帯判別手段を構成し、入力装置２が設定手段に相当する。
【００４４】
図３および図４は図１の時間帯判別手段１３の動作を示すフローチャートである。
【００４５】
図３において、時間帯判別手段１３は、時計回路７から現在時刻を取り込み、変数Ｔに代入する（ステップＳ１）。そして、変数Ｔの値が「午前」であるか「午後」かを判別する（ステップＳ２）。変数Ｔの値が１２時よりも前の場合には、変数Ｊに「朝」を代入する（ステップＳ３）。
【００４６】
変数Ｔの値が１２時以後の場合には、変数Ｔの値が「昼」であるか「夜」であるかを判別する（ステップＳ４）。変数Ｔの値が１７時よりも前の場合には、変数Ｊに「昼」を代入する（ステップＳ５）。
【００４７】
変数Ｔが１７時以後の場合には、変数Ｔの値が「深夜」であるか否かを判別する（ステップＳ６）。変数Ｔが２２時よりも前の場合には、変数Ｊに「夜」を代入する（ステップＳ７）。変数Ｔの値が２２時以後の場合には、変数Ｊに「深夜」を代入する（ステップＳ８）。
【００４８】
このようにして、現在時刻が「朝」、「昼」、「夜」および「深夜」のうちいずれの時間帯であるかが変数Ｊに代入される。したがって、変数Ｊの値に基づいて現在時刻が属する時間帯を識別することができる。
【００４９】
図４において、時間帯判別手段１３は、番組データメモリ５に記憶される番組データに基づいて各番組の放送時間を取り込み、変数Ｔに代入する（ステップＳ１１）。そして、変数Ｔの値が「午前」であるか「午後」であるかを判別する（ステップＳ１２）。変数Ｔの値が１２時よりも前の場合には、変数Ｊに「朝」を代入する（ステップＳ１３）。
【００５０】
変数Ｔの値が１２時以後の場合には、変数Ｔの値が「昼」であるか「夜」であるかを判別する（ステップＳ１４）。変数Ｔの値が１７時よりも前の場合には、変数Ｊに「昼」を代入する（ステップＳ１５）。
【００５１】
変数Ｔの値が１７時以後の場合には、変数Ｔの値が「深夜」であるか否かを判別する（ステップＳ１６）。変数Ｔの値が２２時よりも前の場合には、変数Ｊに「夜」を代入する（ステップＳ１７）。変数Ｔの値が２２時以後の場合には、変数Ｊに「深夜」を代入する（ステップＳ１８）。
【００５２】
このようにして、各番組の放送時間が「朝」、「昼」、「夜」および「深夜」のいずれの時間帯であるかが変数Ｊに代入される。したがって、変数Ｊの値に基づいて各番組が属する時間帯を識別することができる。
【００５３】
図５は表示色制御手段１２における色変換テーブルの一例を示す図である。この色変換テーブルは、図２の不揮発性メモリ２２に記憶される。
【００５４】
図５に示すように、「朝」、「昼」、「夜」および「深夜」の時間帯ごとに前景色および背景色が設定されている。
【００５５】
図６は図１のテレビジョン受像機の画面に表示される番組一覧表の一例を示す図である。
【００５６】
図１の表示制御装置６は、番組データメモリ５に記憶される番組データに基づいて複数チャンネルの番組情報３２を時間軸３１を含む番組一覧表３０として画面に表示する。表示色制御手段１２は、時間帯判別手段１３により判別された番組一覧表３０の時間軸３１における時間帯および図５の色変換テーブルに基づいて、図６の番組一覧表３０の時間軸３１の前景色および背景色を時間帯ごとに切り替える。
【００５７】
例えば、時間軸３１の「１１時」の表示の前景色を白に設定し、背景色を青に設定する。また、時間軸３１の「１２時」、「１時」および「２時」の前景色を赤に設定し、背景色を黄に設定する。
【００５８】
このように、画面に表示される番組一覧表３０の時間軸３１の表示色が時間帯ごとに設定されるので、各番組情報３２の時間帯を視覚的にかつ容易に認識することができる。
【００５９】
図７は図１のテレビジョン受像機の画面に表示される番組一覧表の他の例を示す図である。
【００６０】
この場合にも、図１の表示制御装置６は、番組データメモリ５に記憶される番組データに基づいて複数チャンネルの番組情報３２を時間軸３１を含む番組一覧表３０として画面に表示する。表示色制御手段１２は、時間帯判別手段１３により判別された各番組の時間帯および図５の色変換テーブルに基づいて、図７の番組一覧表３０の各番組情報３２の前景色および背景色を時間帯ごとに切り替える。
【００６１】
例えば、１１時の番組情報３２の前景色を白に設定し、背景色を青に設定する。また、１２時、１時および２時の番組情報３２の前景色を赤に設定し、背景色を黄に設定する。
【００６２】
このように、画面に表示される番組一覧表３０の各番組情報３２の表示色が時間帯ごとに設定されるので、各番組情報３２の時間帯を視覚的にかつ容易に認識することができる。
【００６３】
図８は図１のテレビジョン受像機の画面に表示される番組タイトルオンスクリーン表示の一例を示す図である。
【００６４】
図１の表示制御装置６は、映像回路９により表示される現在受信中のチャンネルのテレビジョン放送の映像３４とともに、番組データメモリ５に記憶される番組データに基づいて番組タイトル等の番組情報３５を画面に表示する。表示色制御手段１２は、時間帯判別手段１３により判別された現在時刻の時間帯および図５の色変換テーブルに基づいて、図８の画面上に表示される番組タイトル等の番組情報３５の前景色および背景色を現在時刻の時間帯に対応する色に切り替える。
【００６５】
例えば、現在時刻が１０時である場合には、画面上に表示される番組タイトル等の番組情報３５の前景色を白に設定し、背景色を青に設定する。
【００６６】
このように、現在受信中のテレビジョン放送の映像３４を隠すことなく少ないスペースで番組情報３５の時間帯を色で表現することができる。それにより、ユーザにとって分かりやすいオンスクリーン表示が提供される。
【００６７】
図２の不揮発性メモリ２２に記憶される色変換テーブルは、ユーザの設定により任意に変更することができる。
【００６８】
図９はユーザにより設定された色変換テーブルの一例を示す図である。図９の例では１０時から１２時までの時間帯に前景色として白が設定され、背景色として青が設定され、１５時から１８時までの時間帯に前景色として赤が設定され、背景色として黄が設定されている。また、１９時から２０時までの時間帯に前景色として黒が設定され、背景色として緑が設定され、２１時から２４時までの時間帯に前景色として白が設定され、背景色として紫が設定されている。
【００６９】
図１０は色変換テーブルの設定処理を示すフローチャートである。まず、ユーザは、入力装置２により時間帯として変数Ｊの範囲を設定する（ステップＳ２１）。次に、ユーザは、入力装置２により前景色を設定する（ステップＳ２２）。また、ユーザは、入力装置２により背景色を設定する（ステップＳ２３）。
【００７０】
マイクロコンピュータ４は、変数Ｊの範囲と前景色および背景色との対応関係を色変換テーブルとして不揮発性メモリ２２に記憶させる（ステップＳ２４）。次の時間帯を設定する場合には、ステップＳ２１に戻り、次の時間帯を設定しない場合には終了する（ステップＳ２５）。
【００７１】
このように、色変換テーブルをユーザが任意に設定することにより、図６の番組一覧表３０における時間軸３１の前景色および背景色を好みの時間帯ごとに好みの色に各ユーザが独自に設定することができる。それにより、各番組が属する時間帯をユーザごとにより視覚的にかつ容易に認識することができる。
【００７２】
また、図７の番組一覧表３０の各番組情報３２の前景色および背景色を好みの時間帯ごとに好みの色に各ユーザが独自に設定することができる。それにより、各番組が属する時間帯をユーザごとにより視覚的に容易に認識することができる。
【００７３】
さらに、図８の番組タイトルオンスクリーン表示における番組タイトル等の番組情報３５の前景色および背景色を好みの時間帯ごとに好みの色に各ユーザが独自に設定することができる。それにより、現在受信中のチャンネルのテレビジョン放送の映像３４を隠すことなく、少ないスペースで受信中の番組の時間帯をユーザごとにより視覚的にかつ容易に認識することができる。
【００７４】
これらの結果、少ないスペースでユーザにとって分かりやすい番組情報が提供される。
【００７５】
なお、上記実施例では、表示制御プログラムを記録する記録媒体としてＲＯＭ２０を用いているが、ＲＯＭ２０の代わりに他の半導体メモリを用いてもよく、あるいはフロッピィディスク、ハードディスク、ＣＤ−ＲＯＭ等の他の記録媒体を用いてもよい。
【００７６】
また、上記実施例では、表示色制御手段１２および時間帯判別手段１３を主としてソフトウエアにより構成しているが、表示色制御手段１２および時間帯判別手段１３をハードウエアにより構成してもよい。
【００７７】
【発明の効果】
以上のように本発明によれば、画面上に表示される番組情報の色が時間帯ごとに制御されるので、画面上のスペースを使用することなく番組情報の時間帯に関する情報が色で表示される。その結果、ユーザは、各番組の時間帯を視覚的にかつ容易に認識することができ、操作性が向上する。
【図面の簡単な説明】
【図１】本発明の一実施例によるテレビジョン受像機の構成を示すブロック図
【図２】図１の表示色制御手段および時間帯判別手段の構成を示すブロック図
【図３】図１の時間帯判別手段の動作を示すフローチャート
【図４】図１の時間帯判別手段の動作を示すフローチャート
【図５】図１の表示色制御手段における色変換テーブルの一例を示す図
【図６】図１のテレビジョン受像機の画面に表示される番組一覧表の一例を示す図
【図７】図１のテレビジョン受像機の画面に表示される番組一覧表の他の例を示す図
【図８】図１のテレビジョン受像機の画面に表示される番組タイトルオンスクリーン表示の一例を示す図
【図９】ユーザにより設定された色変換テーブルの一例を示す図
【図１０】色変換テーブルの設定処理を示すフローチャート
【図１１】従来のテレビジョン受像機の構成を示すブロック図
【図１２】図１１のテレビジョン受像機の画面に表示される番組一覧表の一例を示す図
【図１３】図１１のテレビジョン受像機の画面に表示される番組タイトルオンスクリーン表示の一例を示す図
【図１４】図１１のテレビジョン受像機の画面に表示される番組タイトルオンスクリーン表示の他の例を示す図
【符号の説明】
１  アンテナ
２  入力装置
３  チューナ
４  マイクロコンピュータ
５  番組データメモリ
６  表示制御装置
７  時計回路
８  表示回路
９  映像回路
１０  画面合成回路
１１  ＣＲＴ
１２  表示色制御手段
１３  時間帯判別手段
２０  ＲＯＭ
２１  ＲＡＭ
２２  不揮発性メモリ
【図１】
0004061722.tif 000002
【図２】
0004061722.tif 000003
【図３】
0004061722.tif 000004
【図４】
0004061722.tif 000005
【図５】
0004061722.tif 000006
【図６】
0004061722.tif 000007
【図７】
0004061722.tif 000008
【図８】
0004061722.tif 000009
【図９】
0004061722.tif 000010
【図１０】
0004061722.tif 000011
【図１１】
0004061722.tif 000012
【図１２】
0004061722.tif 000013
【図１３】
0004061722.tif 000014
【図１４】
0004061722.tif 000015